(57)【要約】【課題】樹脂部品が環境要因によって劣化してしまうことを抑制することができる照明器具を提供することを目的としている。【解決手段】放熱板は、本体フレームが固定されている第１の縁部と、本体フレームが固定され、第１の縁部の対辺にあたる第２の縁部とを有し、本体フレームは、放熱板の第２の面に間隔をあけて設けられている板状の天面部と、天面部の一端部から第１の縁部へ延びる板状の第１の側面部と、天面部の他端部から第２の縁部へ延びる板状の第２の側面部とを有し、樹脂部品は、第１の側面部と第２の側面部との間に配置されており、且つ、天面部と放熱板との間に配置されている。【選択図】図１
2019033020.tif 000002
【特許請求の範囲】
【請求項１】
光源と、
前記光源が設けられている第１の面及び前記第１の面の裏面にあたる第２の面が形成されている放熱板と前記第２の面に設けられている放熱フィンとを有しているヒートシンクと、
前記ヒートシンクに設けられている樹脂部品と、
前記ヒートシンクに固定されている本体フレームと、
を備え、
前記放熱板は、前記本体フレームが固定されている第１の縁部と、前記本体フレームが固定され、前記第１の縁部の対辺にあたる第２の縁部とを有し、
前記本体フレームは、前記放熱板の前記第２の面に間隔をあけて設けられている板状の天面部と、前記天面部の一端部から前記第１の縁部へ延びる板状の第１の側面部と、前記天面部の他端部から前記第２の縁部へ延びる板状の第２の側面部とを有し、
前記樹脂部品は、前記第１の側面部と前記第２の側面部との間に配置されており、且つ、前記天面部と前記放熱板との間に配置されている
ことを特徴とする照明器具。
【請求項２】
前記第１の側面部は、前記第１の縁部側に設けられ、前記第１の縁部に平行に延びている第１の固定端部を有し、前記第２の側面部は、前記第２の縁部側に設けられ、前記第２の縁部に平行に延びている第２の固定端部を有している
ことを特徴とする請求項１に記載の照明器具。
【請求項３】
前記第１の固定端部は、前記第１の縁部の長手方向の一端側から前記第１の縁部の長手方向の他端側にかけて延びており、
前記第２の固定端部は、前記第２の縁部の長手方向の一端側から前記第２の縁部の長手方向の他端側にかけて延びている
ことを特徴とする請求項２に記載の照明器具。
【請求項４】
前記第１の側面部は、前記天面部側から前記第１の固定端部側へ向かうにしたがって、前記第１の固定端部が延びる方向の幅が広がる第１の裾状部を有し、
前記第２の側面部は、前記天面部側から前記第２の固定端部側へ向かうにしたがって、前記第２の固定端部が延びる方向の幅が広がる第２の裾状部を有している
ことを特徴とする請求項２又は３に記載の照明器具。
【請求項５】
前記天面部、前記第１の側面部、及び前記第２の側面部は同一の板材から構成されている
ことを特徴とする請求項１〜４のいずれか一項に記載の照明器具。
【請求項６】
前記天面部は、矩形状であり、
前記天面部の前記一端部は前記第１の縁部に平行に延びており、且つ、前記天面部の前記他端部は前記第２の縁部に平行に延びており、
前記樹脂部品は、前記天面部の前記一端部の中点と前記天面部の前記他端部の中点とを通り、前記放熱板に直交する仮想面に交差する位置に設けられている
ことを特徴とする請求項１〜５のいずれか一項に記載の照明器具。
【請求項７】
前記天面部の前記第１の側面部に平行な方向の幅は、前記天面部と前記第２の面との間の距離の２倍以上である
ことを特徴とする請求項６に記載の照明器具。
【請求項８】
前記樹脂部品は、前記光源に電気的に接続される給電線が挿入されているケーブルグランドを有している
ことを特徴とする請求項１〜７のいずれか一項に記載の照明器具。
【請求項９】
前記第１の面に固定され、前記光源を収容しているカバーを更に備え、
前記樹脂部品は、前記カバーの外側の空間の圧力である外気圧と前記カバーの内側の空間の圧力である内気圧との差を調整する内圧調整弁を有している
ことを特徴とする請求項１〜８のいずれか一項に記載の照明器具。
【請求項１０】
前記第１の側面部及び前記第２の側面部は平行に設けられ、
前記放熱フィンは前記放熱板に複数設けられ、
各前記放熱フィンは前記第１の側面部に平行に設けられている
ことを特徴とする請求項１〜９のいずれか一項に記載の照明器具。
【請求項１１】
前記放熱板には、前記放熱板を貫通し、前記樹脂部品が設けられている開口部が形成され、
前記放熱フィンは、前記放熱板から立ち上がる第１の端面を有する第１の放熱フィンと、前記放熱板から立ち上がる端面であって前記開口部を挟んで前記第１の端面に対向している第２の端面を有する第２の放熱フィンと、を含み、
前記樹脂部品は、前記第１の端面と前記第２の端面との間に配置されている
ことを特徴とする請求項１〜９のいずれか一項に記載の照明器具。
【発明の詳細な説明】
【技術分野】
【０００１】
本発明は、照明器具に関し、特に、ヒートシンクを備えている照明器具に関する。
【背景技術】
【０００２】
従来の照明器具には、光源と、光源上に配置されている矩形の放熱板と、放熱板の周縁に設けられている複数の支柱と、各支柱の端部に固定されている天板と、支柱に回動自在に取り付けられているアームとを備えているものが提案されている（例えば、特許文献１参照）。特許文献１の照明器具のアームは、建物の構造体、例えば天井及び梁等に固定される。
【０００３】
特許文献１の照明器具において、天板と支柱と放熱板とを合わせた構造体は直方体状になっている。また、特許文献１の照明器具の支柱は放熱板の周縁全体に設けられているわけではなく、各支柱は間隔をあけて設けられている。つまり、上述の構造体は、天板に対応する上面と放熱板に対応する下面とにおいて閉塞されているが、上面及び下面以外の四面において開放されている。
【先行技術文献】
【特許文献】
【０００４】
【特許文献１】特開２０１７−４１３２８号公報
【発明の概要】
【発明が解決しようとする課題】
【０００５】
照明器具にはヒートシンク上に樹脂部材が設けられているものがある。樹脂部材の一例は、光源に電力を供給する給電線用のケーブルグランドである。また、照明器具は屋内だけでなく、軒下等の屋外で使用されることもある。一般的に、屋外は屋内よりも環境条件が厳しいため、屋外に設置された照明器具の樹脂部品は環境要因によって劣化しやすい。具体的には、屋外の照明器具は屋内の照明器具よりも日光に晒されやすいので、屋外の照明器具の樹脂部品は太陽光に含まれる紫外線で劣化しやすい。その他の環境要因には、日光等の熱サイクルの要因、雨等による水による要因、及び、飛来した水等に含まれる塩による要因、空気中のオゾンの要因等がある。
【０００６】
特許文献１の照明器具のようにヒートシンク上に樹脂部品が設けられている場合において、照明器具の構造体は四面が解放されているため、ヒートシンク上の樹脂部品は環境要因によって劣化しやすい。
【０００７】
本発明は、上記のような課題を解決するためになされたもので、樹脂部品が環境要因によって劣化してしまうことを抑制することができる照明器具を提供することを目的としている。
【課題を解決するための手段】
【０００８】
本発明に係る照明器具は、光源と、光源が設けられている第１の面及び第１の面の裏面にあたる第２の面が形成されている放熱板と第２の面に設けられている放熱フィンとを有しているヒートシンクと、ヒートシンクに設けられている樹脂部品と、ヒートシンクに固定されている本体フレームと、を備え、放熱板は、本体フレームが固定されている第１の縁部と、本体フレームが固定され、第１の縁部の対辺にあたる第２の縁部とを有し、本体フレームは、放熱板の第２の面に間隔をあけて設けられている板状の天面部と、天面部の一端部から第１の縁部へ延びる板状の第１の側面部と、天面部の他端部から第２の縁部へ延びる板状の第２の側面部とを有し、樹脂部品は、第１の側面部と第２の側面部との間に配置されており、且つ、天面部と放熱板との間に配置されている。
【発明の効果】
【０００９】
本発明によれば、樹脂部品が、第１の側面部と第２の側面部との間に配置されており、且つ、天面部と放熱板との間に配置されているので、樹脂部品が環境要因によって劣化してしまうことを抑制することができる。
【図面の簡単な説明】
【００１０】
【図１】実施の形態に係る照明器具１００の斜視図である。
【図２】実施の形態に係る照明器具１００を分解した状態の斜視図である。
【図３】実施の形態に係る照明器具１００の上面視図である。
【図４】図３に示す矢印Ａ方向から照明器具１００を見た図である。
【図５】ヒートシンク３０の上面視図である。
【図６】図３に示す矢印Ｂ方向から照明器具１００を見た図である。
【図７】第２の側面部１３のうち応力が発生しやすい箇所を模式的に示した図である。
【図８】照明器具１００の樹脂部材が日光等から保護される様子を示した図である。
【図９】照明器具１００のヒートシンク３０の放熱フィン３５の隙間を空気Ａｉｒが通過する様子を示した図である。
【図１０】実施の形態に係る照明器具１００の変形例（照明器具１０１）である。
【図１１】照明器具１０１が備えるヒートシンク１３０の斜視図である。
【図１２】照明器具１０１が備えるヒートシンク１３０の上面視図である。
【発明を実施するための形態】
【００１１】
実施の形態．
以下、図面を適宜参照しながら実施の形態について説明する。なお、図１を含め、以下の図面では各構成部材の大きさの関係が実際のものとは異なる場合がある。
【００１２】
＜実施の形態の構成＞
図１は、実施の形態に係る照明器具１００の斜視図である。図２は、実施の形態に係る照明器具１００を分解した状態の斜視図である。図３は、実施の形態に係る照明器具１００の上面視図である。図４は、図３に示す矢印Ａ方向から照明器具１００を見た図である。
【００１３】
図１及び図２に示すように、照明器具１００は、ＣＯＢ（chip on board）タイプのＬＥＤ４０Ａ（light emitting diode）を有する光源４０と、光源４０の光の照射側に設けられ、光源４０の光を反射するリフレクタ５１と、光源４０及びリフレクタ５１を収容するカバー５０とを備えている。また、照明器具１００は、カバー５０の縁部５０Ａに設けられ、カバー５０内の空間の気密性を確保する環状のパッキン５２と、矩形状の放熱板３４及び放熱板３４上に設けられた複数の放熱フィン３５を有するヒートシンク３０と、光源４０及び放熱板３４に接触している放熱シート４１とを備えている。なお、実施の形態において、放熱板３４は正方形状である。また、照明器具１００は、ヒートシンク３０に固定されている本体フレーム１０と、本体フレーム１０の一方側に固定されているアーム２０Ａと、本体フレーム１０の他方側に固定されているアーム２０Ｂとを備えている。
【００１４】
照明器具１００は、図示省略の別置きされた電源から光源４０へ電力を供給する給電線３３と、給電線３３が挿入されているケーブルグランド３１と、カバー５０の外側の空間の圧力である外気圧とカバー５０の内側の空間の圧力である内気圧との差を調整する内圧調整弁３２とを備えている。ケーブルグランド３１及び内圧調整弁３２はヒートシンク３０上に設けられている樹脂部品である。また、照明器具１００は、カバー５０の縁部５０Ａに挿入され、カバー５０をヒートシンク３０の放熱板３４に固定する４つの固定部材６０Ａと、カバー５０の縁部５０Ａに挿入され、固定部材６０Ａよりも長い４つの固定部材６０Ｂとを備えている。また、照明器具１００は、アーム２０Ａ及びアーム２０Ｂを本体フレーム１０に固定する４つの固定部材６１と、本体フレーム１０をヒートシンク３０に固定する４つの固定部材６２とを備えている。更に、照明器具１００は、アーム２０Ａ及びアーム２０Ｂが建物等の被取付部から脱落したときに照明器具１００の落下を防止するワイヤ７０と、ワイヤ７０の一端側に取り付けられている金属製のリング部材７０Ａと、ワイヤ７０の他端側に取り付けられている金属製の金具７１とを備えている。金具７１は建物等に取り付けられる。
【００１５】
図２に示すように、光源４０は４つのＬＥＤ４０Ａを備えており、４つのＬＥＤ４０Ａの中心にはケーブルグランド３１が配置されている。光源４０は給電線３３に電気的に接続されている。リフレクタ５１は光源４０とカバー５０との間に設けられている。カバー５０は光源４０を保護する機能を有している。カバー５０の縁部５０Ａには、固定部材６０Ａが挿入される孔、及び、固定部材６０Ｂが挿入される孔が形成されている。また、カバー５０の縁部５０Ａはアーム２０Ａ及びアーム２０Ｂによって支持されている。カバー５０と放熱板３４とによって形成される空間には放熱シート４１と光源４０とリフレクタ５１とが設けられている。カバー５０の縁部５０Ａには環状の溝部（図示省略）が形成され、パッキン５２は縁部５０Ａの溝部に設けられている。照明器具１００は、ＬＥＤ４０Ａと同数の４つの放熱シート４１を備えている。放熱シート４１の平面視形状は円形である。
【００１６】
図２及び図４に示すように、ヒートシンク３０の放熱板３４は、光源４０が設けられている第１の面Ｓ１及び第１の面Ｓ１の裏面にあたる第２の面Ｓ２が形成されている。放熱板３４の第２の面Ｓ２上には並列に配置された複数の放熱フィン３５が設けられている。放熱板３４は本体フレーム１０と接触する長尺状の第１の縁部Ｓ２１と、本体フレーム１０と接触し、第１の縁部Ｓ２１に平行な長尺状の第２の縁部Ｓ２２とを備えている。図１及び図３に示す方向Ｄｒ２は第１の縁部Ｓ２１の長手方向及び第２の縁部Ｓ２２の長手方向を示している。第１の縁部Ｓ２１及び第２の縁部Ｓ２２には本体フレーム１０が固定されている。矩形状の放熱板３４において、第２の縁部Ｓ２２は第１の縁部Ｓ２１の対辺にあたる。第１の縁部Ｓ２１には固定部材６０Ａが締結される孔と、固定部材６０Ｂが締結される孔とが形成されている。第２の縁部Ｓ２２にも、固定部材６０Ａが締結される孔と、固定部材６０Ｂが締結される孔とが形成されている。放熱板３４の中央部にはケーブルグランド３１が設けられ、放熱板３４のうち放熱板３４の中央部よりも第１の縁部Ｓ２１側には内圧調整弁３２が設けられている。放熱フィン３５は後述の第１の側面部１２に平行に設けられている。図３に示すように、隣接する放熱フィン３５の間には隙間３５Ａが設けられている。
【００１７】
図１〜図４に示すように、本体フレーム１０は、放熱板３４の第２の面Ｓ２に間隔をあけて設けられている板状の天面部１１と、天面部１１の一端部１１Ａから第１の縁部Ｓ２１へ延びる板状の第１の側面部１２と、天面部１１の他端部１１Ｂから第２の縁部Ｓ２２へ延びる板状の第２の側面部１３とを備えている。天面部１１、第１の側面部１２及び第２の側面部１３は同一の板材から構成されている。つまり、板材が曲げ加工等された結果、天面部１１、第１の側面部１２及び第２の側面部１３が形成される。図１〜図４に示すように、天面部１１は放熱板３４に平行に設けられている矩形状の板状部材である。ケーブルグランド３１及び内圧調整弁３２は天面部１１と放熱板３４との間に配置されている。つまり、図３に示すように、照明器具１００を天面部１１側から見たときにおいて、ケーブルグランド３１及び内圧調整弁３２は天面部１１によって隠れる。言い換えると、照明器具１００を天面部１１側から見たときにおいて、ケーブルグランド３１及び内圧調整弁３２は天面部１１の周縁よりも内側の位置に配置されている。図３及び図４に示すように、天面部１１には給電線３３を天面部１１に固定するサドル１１Ｃが設けられている。給電線３３は図示省略の電源と光源４０とを接続する配線である。給電線３３は天面部１１に沿って設けられ、且つ、ケーブルグランド３１を通過している。給電線３３はケーブルグランド３１に固定されている。ケーブルグランド３１は、給電線３３に張力がかかること、及び、給電線３３に振動が加わることを抑制している。
【００１８】
図２に示すように、第１の側面部１２は、放熱板３４から立ち上がっている板状の本体１２ａと、第１の縁部Ｓ２１に接触している板状の第１の固定端部１２Ａとを備えている。本体１２ａは、天面部１１の一端部１１Ａ側から第１の縁部Ｓ２１側へ向かうにしたがって幅が広がる第１の裾状部１２Ｂを有している。図１、図２及び図４に示す方向Ｄｒ１は天面部１１の一端部１１Ａ側（上側）から第１の縁部Ｓ２１側（下側）へ向かう方向を示している。本体１２ａの上端部は天面部１１の一端部１１Ａに繋がっており、本体１２ａの下端部は第１の固定端部１２Ａに繋がっている。本体１２ａは放熱フィン３５に平行に設けられている。本体１２ａには固定部材６１が挿入される孔が形成されている。固定部材６１が本体１２ａとアーム２０Ａとを固定することで、本体１２ａとアーム２０Ａとは接触している。第１の固定端部１２Ａは第１の縁部Ｓ２１に平行に延びている板状部材である。第１の固定端部１２Ａは第１の縁部Ｓ２１に対向している。また、第１の固定端部１２Ａは、第１の縁部Ｓ２１の長手方向の一端側から第１の縁部Ｓ２１の長手方向の他端側にかけて延びている。第１の固定端部１２Ａには、上面側から固定部材６２が挿入される孔と、下面側から固定部材６０Ｂが挿入されている孔と、が形成されている。
【００１９】
第２の側面部１３は第１の側面部１２と概ね同様の構成を備えている。図２に示すように、第２の側面部１３は、放熱板３４から立ち上がっている板状の本体１３ａと、第２の縁部Ｓ２２に接触している板状の第２の固定端部１３Ａとを備えている。ケーブルグランド３１及び内圧調整弁３２は、第１の側面部１２と第２の側面部１３との間に配置されている。具体的には、ケーブルグランド３１及び内圧調整弁３２は、本体１２ａと本体１３ａとの間に配置されている。本体１３ａは、天面部１１の他端部１１Ｂ側から第２の縁部Ｓ２２側へ向かうにしたがって幅が広がる第２の裾状部１３Ｂを有している。図１、図２及び図４に示す方向Ｄｒ１は天面部１１の他端部１１Ｂ側から第２の縁部Ｓ２２側へ向かう方向を示している。本体１３ａの上端部は天面部１１の他端部１１Ｂに繋がっており、本体１３ａの下端部は第２の固定端部１３Ａに繋がっている。本体１３ａは放熱フィン３５及び本体１２ａに平行に設けられている。本体１３ａには固定部材６１が挿入される孔が形成されている。固定部材６１が本体１３ａとアーム２０Ｂとを固定することで、本体１３ａとアーム２０Ｂとは接触している。また、本体１３ａにはリング部材７０Ａを取り付ける孔が形成されている。第２の固定端部１３Ａは第２の縁部Ｓ２２に平行に延びている板状部材である。第２の固定端部１３Ａは第２の縁部Ｓ２２に対向している。また、第２の固定端部１３Ａは、第２の縁部Ｓ２２の長手方向の一端側から第２の縁部Ｓ２２の長手方向の他端側にかけて延びている。第２の固定端部１３Ａには、上面側から固定部材６２が挿入される孔と、下面側から固定部材６０Ｂが挿入されている孔と、が形成されている。
【００２０】
図２及び図４に示すように、アーム２０Ａは、カバー５０の縁部５０Ａに引っ掛けられる引掛部２０Ａ１と、固定部材６１が挿入される孔が形成されている固定面部２０Ａ２と、建物等に取り付けられる取付面部２０Ａ３とを備えている。固定面部２０Ａ２の下端には引掛部２０Ａ１が形成され、固定面部２０Ａ２の上端には取付面部２０Ａ３が形成されている。アーム２０Ｂはアーム２０Ａと同様の構成を備えている。アーム２０Ｂは、カバー５０の縁部５０Ａに引っ掛けられる引掛部２０Ｂ１と、固定部材６１が挿入される孔が形成されている固定面部２０Ｂ２と、建物等の被取付部に取り付けられる取付面部２０Ｂ３とを備えている。固定面部２０Ｂ２の下端には引掛部２０Ｂ１が形成され、固定面部２０Ｂ２の上端には取付面部２０Ｂ３が形成されている。引掛部２０Ａ１及び引掛部２０Ｂ１がカバー５０を支持することで、引掛部２０Ａ１及び引掛部２０Ｂ１はカバー５０と放熱板３４との固定をより強固にしている。
【００２１】
固定部材６０Ａはカバー５０の縁部５０Ａの四隅に設けられている。固定部材６０Ａはカバー５０を放熱板３４に固定する。固定部材６０Ａはカバー５０の縁部５０Ａ、放熱板３４の第１の縁部Ｓ２１側の部分及び第１の固定端部１２Ａに挿入されている。固定部材６０Ｂはカバー５０を放熱板３４に固定する。固定部材６０Ｂはカバー５０の縁部５０Ａ、放熱板３４の第２の縁部Ｓ２２側の部分及び第２の固定端部１３Ａに挿入されている。第１の側面部１２側の固定部材６０Ｂは、第１の固定端部１２Ａを放熱板３４に固定し、第２の側面部１３側の固定部材６０Ｂは、第２の固定端部１３Ａを放熱板３４に固定する。また、第１の側面部１２側の固定部材６２は第１の固定端部１２Ａを放熱板３４の第１の縁部Ｓ２１側の部分に固定し、第２の側面部１３側の固定部材６２は第２の固定端部１３Ａを放熱板３４の第２の縁部Ｓ２２側の部分に固定する。固定部材６０Ａ、固定部材６０Ｂ及び固定部材６２にはネジを採用することができる。第１の側面部１２側の固定部材６１はアーム２０Ａの固定面部２０Ａ２と第１の側面部１２の本体１２ａとを固定し、第２の側面部１３側の固定部材６１はアーム２０Ｂの固定面部２０Ｂ２と第２の側面部１３の本体１３ａとを固定する。図２に示すように、固定部材６１にはボルト６１Ａ及びナット６１Ｂを採用することができる。
【００２２】
図５は、ヒートシンク３０の上面視図である。ヒートシンク３０の放熱板３４の中央部には、樹脂部品であるケーブルグランド３１が設けられる開口部Ｏｐ１が形成されている。ここで、放熱板３４の中央部は、放熱板３４の対角線が交わる部分である。また、放熱板３４のうち開口部Ｏｐ１の形成部分よりも第１の縁部Ｓ２１側には、内圧調整弁３２が設けられる開口部Ｏｐ２が形成されている。開口部Ｏｐ１及び開口部Ｏｐ２は放熱板３４を貫通している。開口部Ｏｐ１及び開口部Ｏｐ２は、第１の縁部Ｓ２１の中点Ｐ１と第２の縁部Ｓ２２の中点Ｐ２とを結ぶ仮想線ＣＬ上に設けられている。このため、ケーブルグランド３１及び内圧調整弁３２は、第１の縁部Ｓ２１の中点Ｐ１と第２の縁部Ｓ２２の中点Ｐ２とを結ぶ仮想線ＣＬ上に設けられている。仮想線ＣＬは後述する仮想面Ｌ１と放熱板３４とが直交する位置に設けられている。一部の放熱フィン３５は、開口部Ｏｐ１及び開口部Ｏｐ２を避けて設置されている。具体的には、放熱フィン３５は、放熱板３４から立ち上がる第１の端面ｐａを有する第１の放熱フィン３５ｐ１と、第１の端面ｐａに対向している第２の端面ｐｂを有する第２の放熱フィン３５ｐ２と、を含んでいる。第２の端面ｐｂは、開口部Ｏｐ１又は開口部Ｏｐ２を挟んで第１の端面ｐａに対向している。開口部Ｏｐ１の周縁部には、第１の放熱フィン３５ｐ１及び第２の放熱フィン３５ｐ２が２組設けられている。開口部Ｏｐ１の周縁部において、第１の端面ｐａと第２の端面ｐｂとの間には、図２で説明したケーブルグランド３１が配置される。開口部Ｏｐ２の周縁部には、第１の放熱フィン３５ｐ１及び第２の放熱フィン３５ｐ２が１組設けられている。開口部Ｏｐ２の周縁部において、第１の端面ｐａと第２の端面ｐｂとの間には、図２で説明した内圧調整弁３２が配置される。
【００２３】
ケーブルグランド３１は図示省略のパッキンを備えている。また、内圧調整弁３２は、カバー５０の外側の空間の圧力である外気圧とカバー５０の内側の空間の圧力である内気圧との差を調節する図示省略の通気フィルタと、カバー５０の内側の空間と通気フィルタとを連通するパイプと、パッキンとを備えている。ケーブルグランド３１が開口部Ｏｐ１に設けられているので、開口部Ｏｐ１はケーブルグランド３１によって塞がれている。また、内圧調整弁３２が開口部Ｏｐ２に設けられているので、開口部Ｏｐ２は内圧調整弁３２によって塞がれている。つまり、ケーブルグランド３１及び内圧調整弁３２はパッキン等を介してカバー５０内の空間に埃及び水等が侵入することを防止している。
【００２４】
図６は、図３に示す矢印Ｂ方向から照明器具１００を見た図である。ケーブルグランド３１及び内圧調整弁３２は仮想面Ｌ１が通る位置に設けられている。また、天面部１１の幅ＷＬは、天面部１１と第２の面Ｓ２との間の距離の２倍以上になっている。図６と先述した図３，５とを参照して天面部１１の構成等について説明する。天面部１１の幅ＷＬは第１の側面部１２及び第２の側面部１３に平行な方向の幅である。言い換えると、天面部１１の幅ＷＬは方向Ｄｒ２に平行な方向の幅である。また、図３及び図６に示すように、仮想面Ｌ１は、天面部１１の一端部１１Ａの中点Ｔ１と天面部１１の他端部１１Ｂの中点Ｔ１とを通り、放熱板３４に直交する面である。仮想面Ｌ１上には仮想線ＣＬが設けられている。したがって、ケーブルグランド３１及び内圧調整弁３２は仮想面Ｌ１が通る位置に設けられている。また、仮想面Ｌ１は天面部１１とも直交する。
【００２５】
図６に示す仮想面Ｌ２は、仮想面Ｌ１に対して４５度をなす、仮想線ＣＬを通る面である。図６に示す仮想面Ｌ３は、仮想面Ｌ１に対して仮想面Ｌ２とは対称関係にある。仮想面Ｌ３も、仮想面Ｌ１に対して４５度をなす、仮想線ＣＬを通る面である。
【００２６】
ここで、仮想面Ｌ１と天面部１１とが交差する所を線分Ｐ３とし、仮想面Ｌ２と天面部１１とが交差する所を線分Ｐ４とし、仮想面Ｌ３と天面部１１とが交差する所を線分Ｐ５とする。このとき、線分Ｐ３から線分Ｐ４までの距離は、仮想線ＣＬから線分Ｐ３までの距離Ｈに等しく、また、線分Ｐ３から線分Ｐ５までの距離は、仮想線ＣＬから線分Ｐ３までの距離Ｈに等しい。なお、仮想線ＣＬから線分Ｐ３までの距離Ｈは天面部１１と第２の面Ｓ２との間の距離と同等である。したがって、線分Ｐ４から線分Ｐ５までの距離は、距離Ｈの２倍である。ここで、図６に示すように、天面部１１の幅ＷＬは、線分Ｐ４から線分Ｐ５までの距離、すなわち距離Ｈの２倍以上になっていることが分かる。このように、天面部１１の幅ＷＬが設定されていることで、天面部１１は、仮想面Ｌ２と仮想面Ｌ３との間の角度範囲の日光が放熱板３４の仮想線ＣＬ上に設けられている樹脂部品に直接あたることを防いでいる。
【００２７】
＜実施の形態の動作及び作用等＞
図７は、第２の側面部１３のうち応力が発生しやすい箇所を模式的に示した図である。図７及び先述した図１及び図２を参照して照明器具１００の動作及び作用等を説明する。なお、図７の説明において、照明器具１００には第１の側面部１２及び第２の側面部１３が対称に設けられているため、第２の側面部１３の応力について説明をし、第１の側面部１２の応力の説明は省略する。第１の側面部１２の応力も、図７で説明する第２の側面部１３の応力と同様である。また、図７では説明の便宜上、アーム２０Ａ、アーム２０Ｂ、固定部材６１、リング部材７０Ａ、ワイヤ７０及び金具７１、サドル１１Ｃ及び給電線３３は図示を省略している。
【００２８】
光源４０には、図示省略の電源から給電線３３を介して電力が供給される。光源４０に電力が供給されると、光源４０のＬＥＤ４０Ａが発光する。ＬＥＤ４０Ａの光は、カバー５０を通りカバー５０外へ放射される。なお、ＬＥＤ４０Ａの光の一部はリフレクタ５１で反射されてカバー５０に至る。ＬＥＤ４０Ａが発光したときに光源４０に生じる熱は、放熱シート４１を介してヒートシンク３０に伝達される。ヒートシンク３０に伝達された熱は、放熱板３４及び放熱フィン３５から空気に伝達される。
【００２９】
建物等が振動した場合において、建物等の振動は建物等の被取付部から照明器具１００のアーム２０Ｂへ伝搬する。アーム２０Ｂへ伝搬した振動は本体フレーム１０へ伝搬する。本体フレーム１０へ伝搬した振動はヒートシンク３０及びカバー５０等へ伝搬する。
【００３０】
本体フレーム１０の第２の側面部１３の第２の固定端部１３Ａは、ヒートシンク３０、カバー５０及び光源４０等の荷重を受けている。第２の固定端部１３Ａは固定部材６２が挿入される孔及び固定部材６０Ｂが挿入される孔が形成されている。このように第２の固定端部１３Ａはヒートシンク３０等を支持する部分であるため、第２の固定端部１３Ａは応力が集中しやすい箇所である。しかし、第２の固定端部１３Ａは、第２の縁部Ｓ２２の長手方向の一端側から第２の縁部Ｓ２２の長手方向の他端側にかけて延びている。つまり、第２の固定端部１３Ａに発生する応力が増大したとしても、第２の固定端部１３Ａが第２の縁部Ｓ２２と接する箇所は方向Ｄｒ２に長くなっているため、第２の固定端部１３Ａを構成する各部の応力は分散される。
【００３１】
また、第２の側面部１３は、第２の固定端部１３Ａと本体１３ａとが繋がっている部分において曲げ形成されている。つまり、第２の側面部１３は、第２の固定端部１３Ａと本体１３ａとが繋がっている部分に形成されている曲げ部Ｒｇ２を備えている。曲げ部Ｒｇ２は板材の外形が変化する部分であり一般的に応力が集中しやすい箇所である。しかし、第２の固定端部１３Ａが第２の縁部Ｓ２２の長手方向の一端側から第２の縁部Ｓ２２の長手方向の他端側にかけて延びているので、曲げ部Ｒｇ２も第２の縁部Ｓ２２の長手方向の一端側から第２の縁部Ｓ２２の長手方向の他端側にかけて延びている。つまり、曲げ部Ｒｇ２の方向Ｄｒ２に平行な幅は、天面部１１の他端部１１Ｂの方向Ｄｒ２に平行な幅よりも長くなっており、曲げ部Ｒｇ２を構成する各部の応力は分散される。
【００３２】
アーム２０Ｂは本体フレーム１０、ヒートシンク３０、カバー５０及び光源４０等の荷重を受けている。第２の側面部１３のうちアーム２０Ｂが固定される部分には、図７に示すように、固定部材６１が挿入される孔１３ａ１が形成されている。このように孔１３ａ１の周縁部Ｒｇ１はアーム２０Ｂによって支持される部分であるため、孔１３ａ１の周縁部Ｒｇ１は応力が集中しやすい箇所である。しかし、孔１３ａ１の周縁部Ｒｇ１は、第２の側面部１３のうち相対的に脆弱になりやすい部分を避けた位置に設けられている。具体的には、孔１３ａ１の周縁部Ｒｇ１は、天面部１１と第２の側面部１３とが繋がる部分、第２の側面部１３の本体１３ａと第２の固定端部１３Ａとが繋がる部分、及び、第２の裾状部１３Ｂが形成されている部分から、離して設けられている。このため、照明器具１００に振動が加わって周縁部Ｒｇ１の応力が増大しても、本体フレーム１０が損傷等してしまうことを回避することができる。また、孔１３ａ１は上下に２つ形成されているので、本体１３ａに発生する応力は分散される。このため、照明器具１００に振動が加わって本体１３ａの応力が増大しても、本体フレーム１０が損傷等してしまうことを回避することができる。
【００３３】
図８は、照明器具１００の樹脂部材が日光等から保護される様子を示した図である。天面部１１はケーブルグランド３１及び内圧調整弁３２に日光等が直接当たることを防いでいる。具体的には、天面部１１は天面部１１に向かってくる日光ｓｎ１を反射することができるので、天面部１１は日光ｓｎ１がケーブルグランド３１及び内圧調整弁３２に当たることを防ぐことができる。また、図示は省略しているが、雨等が降っている場合においても、天面部１１は雨等がケーブルグランド３１及び内圧調整弁３２に直接当たることを防ぐことができる。雨等に塩が含まれている場合もあるが、この場合においても、天面部１１が雨等に含まれる塩を遮るので、ケーブルグランド３１及び内圧調整弁３２が塩に晒されることも回避することができる。また、空気中にオゾンが含まれている場合もあるが、この場合においても、天面部１１がオゾンを遮るので、ケーブルグランド３１及び内圧調整弁３２がオゾンに晒されることを回避することができる。
【００３４】
第１の側面部１２及び第２の側面部１３もケーブルグランド３１及び内圧調整弁３２に日光等が当たることを防いでいる。具体的には、第１の側面部１２は第１の側面部１２に向かってくる日光ｓｎ２を反射することができるので、第１の側面部１２は日光ｓｎ２がケーブルグランド３１及び内圧調整弁３２に当たることを防ぐことができる。また、第２の側面部１３は第２の側面部１３に向かってくる日光ｓｎ３を反射することができるので、第２の側面部１３は日光ｓｎ３がケーブルグランド３１及び内圧調整弁３２に当たることを防ぐことができる。また、天面部１１で説明した内容と同様に、第１の側面部１２及び第２の側面部１３についても雨、塩及びオゾンを遮り、ケーブルグランド３１及び内圧調整弁３２が雨、塩及びオゾンに晒されることを回避することができる。
【００３５】
図９は、照明器具１００のヒートシンク３０の放熱フィン３５の隙間を空気Ａｉｒが通過する様子を示した図である。隣接する放熱フィン３５の間には隙間３５Ａが形成されている。隙間３５Ａは方向Ｄｒ２に平行に延びている。ここで、本体フレーム１０は、放熱フィン３５の長手方向の一方の端部側３５ａと、放熱フィン３５の長手方向の他方の端部側３５ｂと、が開放されている。これにより、図９に示すように、空気Ａｉｒが放熱フィン３５の隙間３５Ａを通過しやすくなっている。したがって、ヒートシンク３０における放熱は効率的に促される。
【００３６】
＜実施の形態の効果＞
効果の説明において、ケーブルグランド３１及び内圧調整弁３２を樹脂部品と総称する。樹脂部品は、第１の側面部１２と第２の側面部１３との間に配置されている。したがって、図８に示すように、樹脂部品は第１の側面部１２によって日光ｓｎ２等から保護されるとともに、第２の側面部１３によって日光ｓｎ３から保護される。樹脂部品は第１の側面部１２及び第２の側面部１３によって雨及び塩に晒されにくくなるので、樹脂部品は第１の側面部１２及び第２の側面部１３によって雨及び塩からも保護される。また、樹脂部品は、天面部１１と放熱板３４との間に配置されている。したがって、図８に示すように、樹脂部品は天面部１１によって日光ｓｎ１等から保護される。樹脂部品は天面部１１によって雨及び塩に晒されにくくなるので、樹脂部品は天面部１１によって雨及び塩からも保護される。このように、照明器具１００の樹脂部品は日光等の環境要因から保護されるので、照明器具１００が環境条件の厳しい場所例えば屋外に設置されたとしても、照明器具１００の樹脂部品が劣化してしまうことが抑制される。
【００３７】
第１の固定端部１２Ａは第１の縁部Ｓ２１側に設けられ、第１の縁部Ｓ２１に平行に延びている。また、第２の固定端部１３Ａは第２の縁部Ｓ２２側に設けられ、第２の縁部Ｓ２２に平行に延びている。第１の固定端部１２Ａは第１の縁部Ｓ２１側に設けられ、且つ、第２の固定端部１３Ａは第２の縁部Ｓ２２側に設けられているので、その分、第１の側面部１２と第２の側面部１３との対向間隔が広がる。このため、放熱フィン３５及び照明器具１００の樹脂部品を配置するスペースを拡大することができる。また、第１の固定端部１２Ａは第１の縁部Ｓ２１に平行に延びており、且つ、第２の固定端部１３Ａは第２の縁部Ｓ２２に平行に延びている。つまり、第１の固定端部１２Ａ及び第２の固定端部１３Ａは方向Ｄｒ２に延びているので、本体フレーム１０は図７で説明した応力の分散効果を得ることができる。したがって、照明器具１００に振動が加わって第１の固定端部１２Ａの応力及び第２の固定端部１３Ａの応力が増大しても、本体フレーム１０が損傷等してしまうことを回避することができる。つまり、本体フレーム１０は耐振動性に優れている。
【００３８】
第１の固定端部１２Ａは第１の縁部Ｓ２１の長手方向の一端側から第１の縁部Ｓ２１の長手方向の他端側にかけて延びている。また、第２の固定端部１３Ａは、第２の縁部Ｓ２２の長手方向の一端側から第２の縁部Ｓ２２の長手方向の他端側にかけて延びている。このため、本体フレーム１０は上述の耐振動性に係る効果が更に向上している。
【００３９】
第１の側面部１２には第１の裾状部１２Ｂが形成されており、第２の側面部１３には第２の裾状部１３Ｂが形成されている。つまり、図７に示すように、第２の側面部１３の本体１３ａは長方形ではなく、本体１３ａは図７の点線で示す領域Ａｒを除去した形状を有している。図７では図示していないが、第１の側面部１２も同様である。このため、本体１２ａ及び本体１３ａは長方形である場合よりも軽量化が図られている。ここで、照明器具１００の重量が増大する程、本体フレーム１０に発生する応力は増大する。本体１３ａは応力の集中する孔１３ａ１の周縁部Ｒｇ１から遠い領域Ａｒが除去された形状を有することで本体１３ａは軽量化されている。したがって、本体１３ａが軽量化されている分、照明器具１００に振動が加わったときに照明器具１００に生じる力のモーメントは減少し、その結果、本体フレーム１０に発生する応力は低減される。本体１２ａも本体１３ａと同様の形状を有することで本体１２ａは軽量化されている。したがって、本体１２ａが軽量化されている分、照明器具１００に振動が加わったときに照明器具１００に生じる力のモーメントは減少し、その結果、本体フレーム１０に発生する応力は低減される。
【００４０】
また、図７に示すように、第２の固定端部１３Ａの方向Ｄｒ２に平行な幅及び本体１３ａの下部１３ａ２の方向Ｄｒ２に平行な幅は、放熱板３４の第２の縁部Ｓ２２の方向Ｄｒ２に平行な幅と同等になっている。そして、第２の裾状部１３Ｂは下部１３ａ２よりも上側に形成されている。つまり、第２の裾状部１３Ｂの下端は第２の固定端部１３Ａと本体１３ａとが繋がっている部分すなわち曲げ部Ｒｇ２には位置しておらず、第２の裾状部１３Ｂの下端は曲げ部Ｒｇ２よりも上側に位置している。曲げ部Ｒｇ２は一般的に応力が集中しやすい箇所であるが、第２の裾状部１３Ｂはこの曲げ部Ｒｇ２から離して設けられているので、本体フレーム１０の剛性が低減することが抑制されている。なお、第１の側面部１２も第２の側面部１３と同様の構成であり、第１の側面部１２についても本体フレーム１０の剛性が低減することが抑制される効果を有する。
【００４１】
天面部１１、第１の側面部１２、及び第２の側面部１３は同一の板材から構成されているので、その分、本体フレーム１０を構成する部品の点数が抑制される。また、仮に天面部１１、第１の側面部１２、及び第２の側面部１３がそれぞれ異なる板材から構成されている場合には、天面部１１と第１の側面部１２とを接合する、又は、天面部１１と第１の側面部１２とを固定部材で固定する等の作業が必要になる。しかし、本体フレーム１０は同一の板材を曲げる作業で構成できるので、本体フレーム１０の加工コストが抑制される。
【００４２】
本体フレーム１０は、放熱フィン３５の長手方向の一方の端部側３５ａと、放熱フィン３５の長手方向の他方の端部側３５ｂと、が開放されている。日光等は本体フレーム１０の開放されている部分に当たる。ここで、照明器具１００の樹脂部品は仮想面Ｌ１に交差する位置に設けられている。仮想面Ｌ１は天面部１１の一端部１１Ａの中点Ｔ１と天面部１１の他端部１１Ｂの中点Ｔ２とを通っている面である。このため、照明器具１００の樹脂部品は天面部１１の一端部１１Ａに平行な幅の中央の直下に位置することになる。つまり、照明器具１００の樹脂部品は、放熱フィン３５の長手方向の一方の端部側３５ａからも、放熱フィン３５の長手方向の他方の端部側３５ｂからも、遠い位置に設けられている。したがって、日光等は照明器具１００の樹脂部品にまでは届きにくい。このため、照明器具１００の樹脂部品が劣化してしまうことがより抑制される。
【００４３】
天面部１１の一端部１１Ａに平行な幅は、天面部１１と第２の面Ｓ２との間の距離の２倍以上である。このため、図６に示すように、本体フレーム１０は仮想面Ｌ２と仮想面Ｌ３との間の角度範囲の日光が放熱板３４上の樹脂部品にあたることを防ぐことができる。つまり、日光等は照明器具１００の樹脂部品にまではより届きにくくなっている。このため、照明器具１００の樹脂部品が劣化してしまうことがより抑制される。
【００４４】
照明器具１００はケーブルグランド３１を備えている。このため、カバー５０内の空間に埃及び水等が侵入してしまうことが防止される。また、給電線３３に張力がかかること、及び、給電線３３に振動が加わることが抑制される。照明器具１００は内圧調整弁３２を備えている。このため、カバー５０内の空間に埃及び水等が侵入してしまうことが防止される。また、カバー５０の外側の空間の圧力である外気圧とカバー５０の内側の空間の圧力である内気圧との差が増大してしまうことを抑制することができる。
【００４５】
放熱フィン３５が方向Ｄｒ２に例えば直交して設けられていると、放熱フィン３５の隙間３５Ａは第１の側面部１２及び第２の側面部１３によって遮られてしまう。したがって、放熱フィン３５が方向Ｄｒ２に例えば直交して設けられていると、ヒートシンク３０の放熱効率が低下してしまう。照明器具１００の放熱フィン３５は第１の側面部１２に平行に設けられている。これにより、図９に示すように、空気Ａｉｒが放熱フィン３５の隙間３５Ａを通過しやすくなっている。したがって、ヒートシンク３０における放熱は効率的に促される。
【００４６】
放熱フィン３５は図５に示すように第１の放熱フィン３５ｐ１及び第２の放熱フィン３５ｐ２を含んでいる。また、第１の放熱フィン３５ｐ１の第１の端面ｐａ及び第２の放熱フィン３５ｐ２の第２の端面ｐｂは、開口部Ｏｐ１又は開口部Ｏｐ２を挟んで設けられている。そして、樹脂部品は、第１の端面ｐａと第２の端面ｐｂとの間に配置されている。このように、放熱フィン３５が開口部Ｏｐ１又は開口部Ｏｐ２の周縁部に設けられているため、放熱フィン３５と樹脂部品との干渉は回避される。
【００４７】
＜変形例＞
図１０は、実施の形態に係る照明器具１００の変形例（照明器具１０１）である。図１１は、照明器具１０１が備えるヒートシンク１３０の斜視図である。図１２は、照明器具１０１が備えるヒートシンク１３０の上面視図である。変形例では実施の形態に係る照明器具１００との相違する部分を中心に説明し、共通する部分については説明を省略する。
【００４８】
照明器具１００はＣＯＢ（chip on board）タイプのＬＥＤ４０Ａを４つ備えていたが、照明器具１０１はＬＥＤ４０Ａを６つ備えている。つまり、照明器具１０１は３つのＬＥＤ４０Ａを並べた構成を２列備えることにより、照明器具１０１の明るさすなわち定格光束は照明器具１００の定格光束よりも大きくなっている。なお、ＬＥＤ４０Ａの列方向すなわち３つのＬＥＤ４０Ａが並ぶ方向は方向Ｄｒ２に平行である。このため、実施の形態に係る照明器具１００のヒートシンク３０の放熱板３４は正方形状であったが、照明器具１０１のヒートシンク１３０の放熱板１３４は長方形状となっている。また、カバー１５０の方向Ｄｒ２に平行な幅が、実施の形態に係る照明器具１００のカバー５０の方向Ｄｒ２に平行な幅よりも長くなっている。また、放熱フィン１３５の方向Ｄｒ２に平行な幅が、実施の形態に係る照明器具１００の放熱フィン３５の方向Ｄｒ２に平行な幅よりも長くなっている。
【００４９】
ここで、図１２に示すように、放熱板１３４の開口部Ｏｐ１及び放熱板１３４の開口部Ｏｐ２は、第１の縁部Ｓ２１の中点Ｐ１と第２の縁部Ｓ２２の中点Ｐ２とを結ぶ仮想線ＣＬ上に設けられていない。放熱板１３４の開口部Ｏｐ１及び放熱板１３４の開口部Ｏｐ２は、仮想線ＣＬに平行であり、仮想線ＣＬよりも放熱フィン１３５の一方の端部側３５ａに位置する仮想線ＣＬ２上に設けられている。放熱板１３４の仮想線ＣＬの直下にはＬＥＤ４０Ａが配置されているため、ケーブルグランド等の樹脂部品を配置すると、樹脂部品とＬＥＤ４０Ａとが干渉してしまうためである。つまり、変形例において、放熱板１３４の開口部Ｏｐ１及び放熱板１３４の開口部Ｏｐ２が仮想線ＣＬからずれた位置に形成し、樹脂部品とＬＥＤ４０Ａとが干渉することを回避している。
【００５０】
本体フレーム１０が放熱板１３４に固定された状態において、本体フレーム１０の方向Ｄｒ２に平行な幅の中央が仮想線ＣＬの位置に一致している。したがって、図１０に示すように、放熱板１３４のうち本体フレーム１０と接触していない一方側の部分の幅Ｗｒ１と、放熱板１３４のうち本体フレーム１０と接触していない他方側の部分の幅Ｗｒ２とは同じである。変形例においても、ケーブルグランド及び内圧調整弁は、天面部１１と放熱板３４との間に配置され、且つ、第１の側面部１２と第２の側面部１３との間に配置されている。したがって、変形例に係る照明器具１０１も、実施の形態に係る照明器具１００と同様の効果を有する。また、変形例に係る照明器具１０１は実施の形態１００の本体フレーム１０を備えている。つまり、本体フレーム１０は正方形状である放熱板３４に適用することができるだけでなく、長方形状である放熱板１３４に適用することもでき、本体フレーム１０は汎用性に優れている。
【符号の説明】
【００５１】
１０  本体フレーム、１１  天面部、１１Ａ  一端部、１１Ｂ  他端部、１１Ｃ  サドル、１２  第１の側面部、１２Ａ  第１の固定端部、１２Ｂ  第１の裾状部、１２ａ  本体、１３  第２の側面部、１３Ａ  第２の固定端部、１３Ｂ  第２の裾状部、１３ａ  本体、１３ａ１  孔、１３ａ２  下部、２０Ａ  アーム、２０Ａ１  引掛部、２０Ａ２  固定面部、２０Ａ３  取付面部、２０Ｂ  アーム、２０Ｂ１  引掛部、２０Ｂ２  固定面部、２０Ｂ３  取付面部、３０  ヒートシンク、３１  ケーブルグランド、３２  内圧調整弁、３３  給電線、３４  放熱板、３５  放熱フィン、３５Ａ  隙間、３５ａ  端部側、３５ｂ  端部側、３５ｐ１  第１の放熱フィン、３５ｐ２  第２の放熱フィン、ｐａ  第１の端面、ｐｂ  第２の端面、４０  光源、４０Ａ  ＬＥＤ、４１  放熱シート、５０  カバー、５０Ａ  縁部、５１  リフレクタ、５２  パッキン、６０Ａ  固定部材、６０Ｂ  固定部材、６１  固定部材、６１Ａ  ボルト、６１Ｂ  ナット、６２  固定部材、７０  ワイヤ、７０Ａ  リング部材、７１  金具、１００  照明器具、１０１  照明器具、１３０  ヒートシンク、１３４  放熱板、１３５  放熱フィン、１５０  カバー、Ａｒ  領域、ＣＬ  仮想線、ＣＬ２  仮想線、Ｈ  距離、Ｌ１  仮想面、Ｌ２  仮想面、Ｌ３  仮想面、Ｏｐ１  開口部、Ｏｐ２  開口部、Ｒｇ１  周縁部、Ｒｇ２  曲げ部、Ｓ１  第１の面、Ｓ２  第２の面、Ｓ２１  第１の縁部、Ｓ２２  第２の縁部。
【図１】
2019033020.tif 000003
【図２】
2019033020.tif 000004
【図３】
2019033020.tif 000005
【図４】
2019033020.tif 000006
【図５】
2019033020.tif 000007
【図６】
2019033020.tif 000008
【図７】
2019033020.tif 000009
【図８】
2019033020.tif 000010
【図９】
2019033020.tif 000011
【図１０】
2019033020.tif 000012
【図１１】
2019033020.tif 000013
【図１２】
2019033020.tif 000014